(57)【要約】【課題】極めて簡素なハードウェアで各ノードのデータ通信路を接続する。【解決手段】コネクタ部２１に、当該ノード１０の物理レイヤ部１１の受信ポートＰ１ｒを一方の隣接ノード１０と接続する通信線Ｌ１と、コンデンサＣ１を介して物理レイヤ部１１の送信ポートＰ１ｔを一方の隣接ノードと接続する通信線Ｌ２とを含み、コネクタ部２２に、当該ノードの物理レイヤ部１２の受信ポートＰ２ｒを他方の隣接ノードと接続する通信線Ｌ３と、コンデンサＣ２を介して物理レイヤ部１２の送信ポートＰ２ｔを他方の隣接ノードと接続する通信線Ｌ４とを含み、コネクタ部２１で、一方の隣接ノードのコネクタ部２２と接続することにより、当該ノードの通信線Ｌ１を一方の隣接ノードの通信線Ｌ４と接続するとともに、当該ノードの通信線Ｌ２を一方の隣接ノードの通信線Ｌ３と接続する。【選択図】  図１
2010273164.tif 000002
【特許請求の範囲】
【請求項１】
データ通信路を介して複数のノードを接続するネットワークシステムであって、
前記各ノードは、当該ノードの一方に隣接する第１の隣接ノードと当該ノードとを電気的に接続する第１のコネクタ部と、当該ノードの他方に隣接する第２の隣接ノードと当該ノードとを電気的に接続する第２のコネクタ部とを備え、
前記第１のコネクタ部は、
当該ノードの第１の物理レイヤ部の受信ポート（送信ポート）を前記第１の隣接ノードと接続する第１の通信線と、
容量素子を介して前記第１の物理レイヤ部の送信ポート（受信ポート）を前記第１の隣接ノードと接続する第２の通信線と
を含み、
前記第２のコネクタ部は、
当該ノードの第２の物理レイヤ部の受信ポート（送信ポート）を前記第２の隣接ノードと接続する第３の通信線と、
容量素子を介して前記第２の物理レイヤ部の送信ポート（受信ポート）を前記第２の隣接ノードと接続する第４の通信線と
を含み、
前記第１のコネクタ部は、前記第１の隣接ノードの前記第２のコネクタ部と接続することにより、当該ノードの前記第１の通信線を当該第１の隣接ノードの前記第４の通信線と接続するとともに、当該ノードの前記第２の通信線を当該第１の隣接ノードの前記第３の通信線と接続する
ことを特徴とするネットワークシステム。
【請求項２】
請求項１に記載のネットワークシステムにおいて、
前記第１のコネクタ部は、前記第１の物理レイヤ部の送信ポート（受信ポート）を前記第１の隣接ノードと接続する第５の通信線をさらに含み、
前記第２のコネクタ部は、前記第２の物理レイヤ部の送信ポート（受信ポート）を前記第２の隣接ノードと接続する第６の通信線をさらに含み、
前記データ通信路を構成する第１の通信ケーブルを接続するための第１のケーブルコネクタを含み、前記ノードの前記第１のコネクタ部と接続することにより、当該ノードの第１および第５の通信線を、それぞれ別個の終端トランスを介した通信線で当該第１のケーブルコネクタと接続する第１のアダプタと、
前記データ通信路を構成する第２の通信ケーブルを接続するための第２のケーブルコネクタを含み、前記ノードの前記第２のコネクタ部と接続することにより、当該ノードの第３および第６の通信線とを、それぞれ別個の終端トランスを介した通信線で当該第２のケーブルコネクタと接続する第２のアダプタと
をさらに備える
ことを特徴とするネットワークシステム。
【請求項３】
請求項１に記載のネットワークシステムにおいて、
前記ノードは、当該ノードを通過して前記第１のコネクタ部と前記第２のコネクタ部とを直接接続するノードバイパス通信線を含み、
前記第１のコネクタ部は、前記第１の隣接ノードの第２のコネクタ部と接続することにより、当該ノードバイパス通信線を前記第１の隣接ノードのノードバイパス通信線と接続する
ことを特徴とするネットワークシステム。
【請求項４】
請求項３に記載のネットワークシステムにおいて、
前記第１のコネクタ部は、前記第１の物理レイヤ部の送信ポート（受信ポート）を前記第１の隣接ノードと接続する第５の通信線をさらに含み、
前記第２のコネクタ部は、前記第２の物理レイヤ部の送信ポート（受信ポート）を前記第２の隣接ノードと接続する第６の通信線をさらに含み、
前記データ通信路を構成する第１の通信ケーブルを接続するための第１のケーブルコネクタを含み、前記ノードの前記第１のコネクタ部と接続することにより、当該ノードの第１および第５の通信線とを、それぞれ別個の終端トランスを介した通信線で当該第１のケーブルコネクタと接続するとともに、当該ノードのノードバイパス通信線と当該第１のケーブルコネクタとをバイパス用通信線で接続する第１のアダプタと、
前記データ通信路を構成する第２の通信ケーブルを接続するための第２のケーブルコネクタを含み、前記ノードの前記第２のコネクタ部と接続することにより、当該ノードの第３および第６の通信線とを、それぞれ別個の終端トランスを介した通信線で当該第２のケーブルコネクタと接続するとともに、当該ノードのノードバイパス通信線と当該第２のケーブルコネクタとをバイパス用通信線で接続する第２のアダプタと
をさらに備えることを特徴とするネットワークシステム。
【請求項５】
請求項４に記載のネットワークシステムにおいて、
前記第１のアダプタの第１のケーブルコネクタ、または前記第２のアダプタの第２のケーブルコネクタに接続されて、当該ケーブルコネクタの絶縁用通信路とバイパス用通信線とを折り返し接続する折り返しプラグをさらに備えることを特徴とするネットワークシステム。
【請求項６】
データ通信路を介して複数のノードを接続するネットワークシステムで用いられるノードであって、
当該ノードの一方に隣接する第１の隣接ノードと当該ノードとを電気的に接続する第１のコネクタ部と、当該ノードの他方に隣接する第２の隣接ノードと当該ノードとを電気的に接続する第２のコネクタ部とを備え、
前記第１のコネクタ部は、
当該ノードの第１の物理レイヤ部の受信ポート（送信ポート）を前記第１の隣接ノードと接続する第１の通信線と、
容量素子を介して前記第１の物理レイヤ部の送信ポート（受信ポート）を前記第１の隣接ノードと接続する第２の通信線と
を含み、
前記第２のコネクタ部は、
当該ノードの第２の物理レイヤ部の受信ポート（送信ポート）を前記第２の隣接ノードと接続する第３の通信線と、
容量素子を介して前記第２の物理レイヤ部の送信ポート（受信ポート）を前記第２の隣接ノードと接続する第４の通信線と
を含み、
前記第１のコネクタ部は、前記第１の隣接ノードの前記第２のコネクタ部と接続することにより、当該ノードの前記第１の通信線を当該第１の隣接ノードの前記第４の通信線と接続するとともに、当該ノードの前記第２の通信線を当該第１の隣接ノードの前記第３の通信線と接続する
ことを特徴とするノード。
【請求項７】
請求項６に記載のノードにおいて、
当該ノードを通過して前記第１のコネクタ部と前記第２のコネクタ部とを直接接続するノードバイパス通信線をさらに備え、
前記第１のコネクタ部は、前記第１の隣接ノードの第２のコネクタ部と接続することにより、当該ノードバイパス通信線を前記第１の隣接ノードのノードバイパス通信線と接続する
ことを特徴とするノード。
【発明の詳細な説明】
【技術分野】
【０００１】
本発明は、ネットワーク技術に関し、特に複数のノードをリング状に接続するネットワーク接続技術に関する。
【背景技術】
【０００２】
ビル設備やプラント設備を監視制御する監視制御システムなどのネットワークシステムでは、アプリケーションソフトウェアを実行して情報収集機能や制御機能などの各種機能を提供する制御機器などのノードを、データ通信路を介して相互接続し、これらノード間で各種情報をやり取りすることにより、各ノードで個々の設備を監視制御するものとなっている。
このようなネットワークシステムでは、ノード間を結ぶデータ通信方式として、ＲＳ−４８５などのバス型の通信方式が広く用いられている。しかし、このような通信方式は、通信速度が遅く十分な通信帯域が確保できないため、複雑な監視制御を行うには、より高速な通信帯域を持つ通信方式が必要となる。
【０００３】
このようなネットワークシステムにおいて、ノード間でより高速なデータ通信を行うため、通信方式としてイーサネット（Ethernet／IEEE802.3u:100BASE-T：登録商標）を導入したものが提案されている（例えば、特許文献１など参照）。
イーサネットでは、複数のノードを接続する際、ハブやスイッチに各ノードをそれぞれ接続するスター配線方式が基本である。このようなスター配線方式は、比較的規模の小さいオフィス環境には適合するものの、ビル設備やプラント設備などの大規模な設備には必ずしも適合しない。その理由としては、スター配線方式では、ハブやスイッチと各ノードとをそれぞれ個別の配線を介して接続する必要があり、広範囲にわたってノードが設置されている場合には、ノード間を結ぶ配線が複雑化し、配線工事やメンテナンスの作業負担が増大するからである。
【０００４】
一方、イーサネットを用いたネットワークシステムにおいて、各ノードに２つのポートを設け、ＵＴＰ（Unshielded Twist Pair cable）などの通信ケーブルを介して各ノードをリング状に接続するリング型イーサネットが提案されている（例えば、特許文献２など参照）。このリング型イーサネットは、データ通信路内に存在するリングトポロジーによる通信エラーを回避するＳＴＰ(Spanning Tree Protocol/IEEE 802.1D)機能や、これを改良したＲＳＴＰ（Rapid Spanning Tree Protocol/IEEE 802.1w）機能などのネットワーク制御機能を用いて、システムの冗長化を実現することが可能となる。
【０００５】
図１５は、従来のリング型イーサネットシステムの構成例である。図１６は、従来のリング型のイーサネットシステムの接続例である。ここでは、ＤＩＮレールなどの架台に並べて取り付けられた６つのノードＮ１〜Ｎ６が、通信ケーブルＬＵでリング接続されており、ノードＮ４のうちノードＮ３側のポートでブロッキングが行われている。
このブロッキングにより、リングトポロジーからなる元のリングから、ルートノードＮ１からノードＮ２→ノードＮ３およびノードＮ５→ノードＮ４までの２つの枝経路を持つツリートポロジーが構築される。これにより、物理的にリングトポロジーを形成しているネットワークであっても、データループの発生が回避される。
【先行技術文献】
【特許文献】
【０００６】
【特許文献１】特表２００８−５４４６５８号公報
【特許文献２】特開２００５−１０９８４６号公報
【発明の概要】
【発明が解決しようとする課題】
【０００７】
しかしながら、このような従来技術では、通信ケーブルからなるデータ通信路を介して各ノード間を接続することにより、リング型のイーサネットを構築しているため、ノード間接続に要するハードウェアが複雑化して、ネットワーク全体の製品コストが増大するとともに、メンテナンスの作業負担が増大するという問題点があった。
【０００８】
図１７は、従来のノード間接続回路の要部を示すブロック図である。イーサネットの場合、各ノードＮの物理レイヤ部ＰＨＹに設けられている送信回路および受信回路は、ＵＴＰなどの通信ケーブルＬＵを介して、他のノードの物理レイヤ部ＰＨＹに設けられている受信回路および送信回路と相互に接続されている。
この際、送信回路および受信回路は、所定の通信経路長で一定の通信品質を得るため、トランスを介してコネクタ部に接続されており、これらコネクタ部が通信ケーブルＬＵで接続される。
【０００９】
したがって、例えば一方のノードＮ１の送信回路から出力された信号は、トランス−コネクタ部−通信ケーブルＬＵ−コネクタ部−トランスを介して、他方のノードＮ２の受信回路で受信される。このため、図１６に示したように、同一架台に隣接設置されているような通信経路長が極めて短いノード間であっても、データ通信のための多くの回路要素を備えることになり、ノード自体、さらにはネットワーク全体の製品コストが増大する。
また、ノード間ごとに通信ケーブルＬＵが必要となり、ノードと通信ケーブルＬＵとの接続不良やケーブル外れなどに対応するためのメンテナンス作業が増大する。さらには、誤配線の可能性も高くなる。
【００１０】
本発明はこのような課題を解決するためのものであり、極めて簡素なハードウェアで複数のノードをデータ通信路で接続することができるネットワーク接続技術を提供することを目的としている。
【課題を解決するための手段】
【００１１】
このような目的を達成するために、本発明にかかるネットワークシステムは、データ通信路を介して複数のノードを接続するネットワークシステムであって、各ノードは、当該ノードの一方に隣接する第１の隣接ノードと当該ノードとを電気的に接続する第１のコネクタ部と、当該ノードの他方に隣接する第２の隣接ノードと当該ノードとを電気的に接続する第２のコネクタ部とを備え、第１のコネクタ部に、当該ノードの第１の物理レイヤ部の受信ポート（送信ポート）を第１の隣接ノードと接続する第１の通信線と、容量素子を介して第１の物理レイヤ部の送信ポート（受信ポート）を第１の隣接ノードと接続する第２の通信線とを含み、第２のコネクタ部に、当該ノードの第２の物理レイヤ部の受信ポート（送信ポート）を第２の隣接ノードと接続する第３の通信線と、容量素子を介して第２の物理レイヤ部の送信ポート（受信ポート）を第２の隣接ノードと接続する第４の通信線とを含み、第１のコネクタ部で、第１の隣接ノードの第２のコネクタ部と接続することにより、当該ノードの第１の通信線を当該第１の隣接ノードの第４の通信線と接続するとともに、当該ノードの第２の通信線を当該第１の隣接ノードの第３の通信線と接続する。
【００１２】
この際、第１のコネクタ部に、第１の物理レイヤ部の送信ポート（受信ポート）を第１の隣接ノードと接続する第５の通信線をさらに含み、第２のコネクタ部に、第２の物理レイヤ部の送信ポート（受信ポート）を第２の隣接ノードと接続する第６の通信線をさらに含み、データ通信路を構成する第１の通信ケーブルを接続するための第１のケーブルコネクタを含み、ノードの第１のコネクタ部と接続することにより、当該ノードの第１および第５の通信線を、それぞれ別個の終端トランスを介した通信線で当該第１のケーブルコネクタと接続する第１のアダプタと、データ通信路を構成する第２の通信ケーブルを接続するための第２のケーブルコネクタを含み、ノードの第２のコネクタ部と接続することにより、当該ノードの第３および第６の通信線とを、それぞれ別個の終端トランスを介した通信線で当該第２のケーブルコネクタと接続する第２のアダプタとをさらに備えてもよい。
【００１３】
また、ノードに、当該ノードを通過して第１のコネクタ部と第２のコネクタ部とを直接接続するノードバイパス通信線を含み、第１のコネクタ部で、第１の隣接ノードの第２のコネクタ部と接続することにより、当該ノードバイパス通信線を第１の隣接ノードのノードバイパス通信線と接続するようにしてもよい。
【００１４】
また、第１のコネクタ部に、第１の物理レイヤ部の送信ポート（受信ポート）を第１の隣接ノードと接続する第５の通信線をさらに含み、第２のコネクタ部に、第２の物理レイヤ部の送信ポート（受信ポート）を第２の隣接ノードと接続する第６の通信線をさらに含み、データ通信路を構成する第１の通信ケーブルを接続するための第１のケーブルコネクタを含み、ノードの第１のコネクタ部と接続することにより、当該ノードの第１および第５の通信線とを、それぞれ別個の終端トランスを介した通信線で当該第１のケーブルコネクタと接続するとともに、当該ノードのノードバイパス通信線と当該第１のケーブルコネクタとをバイパス用通信線で接続する第１のアダプタと、データ通信路を構成する第２の通信ケーブルを接続するための第２のケーブルコネクタを含み、ノードの第２のコネクタ部と接続することにより、当該ノードの第３および第６の通信線とを、それぞれ別個の終端トランスを介した通信線で当該第２のケーブルコネクタと接続するとともに、当該ノードのノードバイパス通信線と当該第２のケーブルコネクタとをバイパス用通信線で接続する第２のアダプタとをさらに備えてもよい。
【００１５】
また、第１のアダプタの第１のケーブルコネクタ、または第２のアダプタの第２のケーブルコネクタに接続されて、当該ケーブルコネクタの絶縁用通信路とバイパス用通信線とを折り返し接続する折り返しプラグをさらに備えてもよい。
【００１６】
また、本発明にかかるノードは、データ通信路を介して複数のノードを接続するネットワークシステムで用いられるノードであって、当該ノードの一方に隣接する第１の隣接ノードと当該ノードとを電気的に接続する第１のコネクタ部と、当該ノードの他方に隣接する第２の隣接ノードと当該ノードとを電気的に接続する第２のコネクタ部とを備え、第１のコネクタ部に、当該ノードの第１の物理レイヤ部の受信ポート（送信ポート）を第１の隣接ノードと接続する第１の通信線と、容量素子を介して第１の物理レイヤ部の送信ポート（受信ポート）を第１の隣接ノードと接続する第２の通信線とを含み、第２のコネクタ部に、当該ノードの第２の物理レイヤ部の受信ポート（送信ポート）を第２の隣接ノードと接続する第３の通信線と、容量素子を介して第２の物理レイヤ部の送信ポート（受信ポート）を第２の隣接ノードと接続する第４の通信線とを含み、第１のコネクタ部で、第１の隣接ノードの第２のコネクタ部と接続することにより、当該ノードの第１の通信線を当該第１の隣接ノードの第４の通信線と接続するとともに、当該ノードの第２の通信線を当該第１の隣接ノードの第３の通信線と接続するようにしてもよい。
【００１７】
この際、当該ノードを通過して第１のコネクタ部と第２のコネクタ部とを直接接続するノードバイパス通信線をさらに備え、第１のコネクタ部は、第１の隣接ノードの第２のコネクタ部と接続することにより、当該ノードバイパス通信線を第１の隣接ノードのノードバイパス通信線と接続するようにしてもよい。
【発明の効果】
【００１８】
本発明によれば、通信ケーブルを用いることなく、隣接配置された各ノードをデイジーチェーン状に結ぶ全二重イーサネットシステムが構築される。このため、ノードごとに個別の通信ケーブルを必要とすることなく、さらにはハブやスイッチを必要とすることなく、極めて簡素なハードウェアで、複数のノードをデータ通信路で接続することが可能となる。
【図面の簡単な説明】
【００１９】
【図１】本発明の第１の実施の形態にかかるネットワークシステムおよびノードの構成を示すブロック図である。
【図２】ノードおよびアダプタのコネクタ配置例である。
【図３】ネットワークシステムにおけるノード間の接続形態を示す説明図である。
【図４】ネットワークシステムにおけるノードとアダプタとの接続形態を示す説明図である。
【図５】ネットワークシステムにおけるノードとアダプタとの他の接続形態を示す説明図である。
【図６】通信ケーブルを用いたノード列間の接続例である。
【図７】図６の接続例に基づくネットワークシステムの構成例である。
【図８】コネクタと通信線との接続形態を示す説明図である。
【図９】コネクタと通信線との他の接続形態を示す説明図である。
【図１０】本発明の第２の実施の形態にかかるネットワークシステムおよびノードの構成を示すブロック図である。
【図１１】折り返しプラグの構成例である。
【図１２】折り返しプラグと通信ケーブルを用いたノード列間の接続例である。
【図１３】図１２の接続例に基づくネットワークシステムの構成例である。
【図１４】本発明の第３の実施の形態にかかるネットワークシステムおよびノードの構成を示すブロック図である。
【図１５】従来のリング型イーサネットシステムの構成例である。
【図１６】従来のリング型のイーサネットシステムの接続例である。
【図１７】従来のノード間接続回路の要部を示すブロック図である。
【発明を実施するための形態】
【００２０】
次に、本発明の実施の形態について図面を参照して説明する。
［第１の実施の形態］
まず、図１を参照して、本発明の第１の実施の形態にかかるネットワークシステムについて説明する。図１は、本発明の第１の実施の形態にかかるネットワークシステムおよびノードの構成を示すブロック図である。
【００２１】
このネットワークシステム１は、ビル設備やプラント設備を監視制御する監視制御システムなどのネットワークシステムとして用いられ、アプリケーションソフトウェアを実行して情報収集機能や制御機能などの各種機能を提供する制御機器などのノード１０（１０Ａ，１０Ｂ，１０Ｃ，…）を、データ通信路Ｌを介してリング状に接続する全二重イーサネットシステムである。
【００２２】
各ノード１０は、ＲＳＴＰ（Rapid Spanning Tree Protocol）に基づいて、データ通信路に対する冗長化制御処理を行う機能を有している。データ通信路Ｌは、全二重イーサネットに基づくデータ通信を実現するリング状の通信経路であり、各ノード１０間でデータ送受信を並行して実行するため、データ通信路Ｌには２つの独立した通信線Ｌｘ，Ｌｙが設けられている。
【００２３】
ノード１０には、主な機能部として、物理レイヤ部（ＰＨＹ：第１の物理レイヤ部）１１、物理レイヤ部（ＰＨＹ：第２の物理レイヤ部）１２、リング接続制御部１３、アプリケーション処理部１４、コネクタ部（第１のコネクタ部）２１、およびコネクタ部（第２のコネクタ部）２２が設けられている。
【００２４】
物理レイヤ部１１は、データ通信路Ｌｘの受信ポートＰ１ｒとデータ通信路Ｌｙの送信ポートＰ１ｔとを含む専用の通信回路からなり、当該ノード１０の一方に隣接する隣接ノード（第１の隣接ノード）とデータ通信路Ｌを介して物理レイヤにおけるデータ送受信を行う機能を有している。
物理レイヤ部１２は、データ通信路Ｌｙの受信ポートＰ２ｒとデータ通信路Ｌｘの送信ポートＰ２ｔとを含む専用の通信回路からなり、当該ノード１０の他方に隣接する隣接ノード（第２の隣接ノード）とデータ通信路Ｌを介して物理レイヤにおけるデータ送受信を行う機能を有している。
【００２５】
リング接続制御部１３は、物理レイヤ部１１，１２を介して他のノード１０との間のデータ通信を行う機能と、ＲＳＴＰに基づいて、データ通信路Ｌに対する冗長化制御処理を行う機能とを有している。
アプリケーション処理部１４は、リング接続制御部１３を介して他のノードＮと上位レイヤにおけるデータ通信を行うことにより、例えばビル設備やプラント設備を監視制御するための各種アプリケーション処理を行う機能を有している。
【００２６】
コネクタ部２１は、当該ノードの一方に隣接する隣接ノードと当該ノードとのデータ通信路を電気的に接続する機能を有している。
コネクタ部２２は、当該ノードの他方に隣接する隣接ノードと当該ノードとのデータ通信路を電気的に接続する機能を有している。
これにより、例えばノード１０Ａ〜１０ＣがＤＩＮレールなどの架台に隣接設置された際、ノード１０Ｂのコネクタ部２１が、一方の隣接ノード（第１の隣接ノード）１０Ａのコネクタ部２２と接続するとともに、ノード１０Ｂのコネクタ部２２が、他方の隣接ノード（第２の隣接ノード）１０Ｃのコネクタ部２２と接続する。
【００２７】
本実施の形態は、コネクタ部２１に、当該ノードの物理レイヤ部１１の受信ポートＰ１ｒを一方の隣接ノードと接続する通信線Ｌ１と、コンデンサ（容量素子）Ｃ１を介して物理レイヤ部１１の送信ポートＰ１ｔを一方の隣接ノードと接続する通信線Ｌ２とを含み、コネクタ部２２に、当該ノードの物理レイヤ部１２の受信ポートＰ２ｒを他方の隣接ノードと接続する通信線Ｌ３と、コンデンサ（容量素子）Ｃ２を介して物理レイヤ部１２の送信ポートＰ２ｔを他方の隣接ノードと接続する通信線Ｌ４とを含み、コネクタ部２１で、一方の隣接ノードのコネクタ部２２と接続することにより、当該ノードの通信線Ｌ１を一方の隣接ノードの通信線Ｌ４と接続するとともに、当該ノードの通信線Ｌ２を一方の隣接ノードの通信線Ｌ３と接続するようにしたものである。
【００２８】
次に、図１を参照して、本実施の形態にかかるネットワークシステム１およびノード１０の構成および動作について詳細に説明する。なお、図１において、本実施の形態にかかる１対の通信線Ｌ１〜Ｌ１０は、１本の線で省略して表示されている。
【００２９】
コネクタ部２１には、コネクタＣＮ１、コンデンサＣ１、および通信線Ｌ１，Ｌ２，Ｌ３が設けられている。コネクタＣＮ１は、当該ノード１０の一方に隣接する隣接ノードと当該ノード１０とのデータ通信路Ｌを電気的に接続するためのコネクタである。コンデンサＣ１は、当該ノード１０と隣接ノードのデータ通信路Ｌの直流電位差を絶縁する絶縁用のコンデンサである。通信線Ｌ１は、コネクタＣＮ１と物理レイヤ部１１の受信ポートＰ１ｒとを接続するデータ通信路Ｌｘ用の通信線である。通信線Ｌ２は、コンデンサＣ１を介してコネクタＣＮ１と物理レイヤ部１１の送信ポートＰ１ｔとを接続するデータ通信路Ｌｙ用の通信線である。通信線Ｌ３は、コネクタＣＮ１と物理レイヤ部１１の送信ポートＰ１ｔとを接続するデータ通信路Ｌｙ用の通信線である。
【００３０】
コネクタ部２２には、コネクタＣＮ２、コンデンサＣ２、および通信線Ｌ４，Ｌ５，Ｌ６が設けられている。コネクタＣＮ２は、当該ノード１０の他方に隣接する隣接ノードと当該ノード１０とのデータ通信路Ｌを電気的に接続するためのコネクタである。コンデンサＣ２は、当該ノード１０と隣接ノードのデータ通信路Ｌの直流電位差を絶縁する絶縁用のコンデンサである。通信線Ｌ４は、コネクタＣＮ１と物理レイヤ部１２の受信ポートＰ２ｒとを接続するデータ通信路Ｌｙ用の通信線である。通信線Ｌ５は、コンデンサＣ２を介してコネクタＣＮ２と物理レイヤ部１２の送信ポートＰ２ｔとを接続するデータ通信路Ｌｘ用の通信線である。通信線Ｌ６は、コネクタＣＮ２と物理レイヤ部１２の送信ポートＰ２ｔとを接続するデータ通信路Ｌｘ用の通信線である。
【００３１】
また、本実施の形態にかかるネットワークシステム１では、隣接配置されたノード１０の両端に、アダプタ３１，３２が接続される。
アダプタ３１には、コネクタＣＮ１１，ＣＮ１２、終端トランス（Transformer）Ｔ１ｘ，Ｔ１ｙ、および通信線Ｌ７，Ｌ８が設けられている。コネクタＣＮ１１は、当該アダプタ３１が接続されるノード１０とのデータ通信路Ｌを電気的に接続するためのコネクタである。コネクタＣＮ（第１のケーブルコネクタ）１２は、例えばＲＪ−４５などのコネクタからなり、データ通信路Ｌを構成する通信ケーブル（第１の通信ケーブル）ＬＵ１を接続するためのケーブルコネクタである。終端トランスＴ１ｘ，Ｔ１ｙは、当該ノード１０と通信ケーブルＬＵ１のデータ通信路Ｌｘ，Ｌｙの直流電位差をそれぞれ絶縁するとともに、インピーダンスをそれぞれ整合して終端するための終端トランスである。通信線Ｌ７は、終端トランスＴ１ｘを介してコネクタＣＮ１１とケーブルコネクタＣＮ１２とを接続するデータ通信路Ｌｘ用の通信線である。通信線Ｌ８は、終端トランスＴ１ｙを介してコネクタＣＮ１１とケーブルコネクタＣＮ１２とを接続するデータ通信路Ｌｙ用の通信線である。
【００３２】
アダプタ３２には、コネクタＣＮ２１，ＣＮ２２、終端トランス（Transformer）Ｔ２ｘ，Ｔ２ｙ、および通信線Ｌ９，Ｌ１０が設けられている。コネクタＣＮ２１は、当該アダプタ３２が接続されるノード１０とのデータ通信路Ｌを電気的に接続するためのコネクタである。コネクタＣＮ２２（第２のケーブルコネクタ）は、例えばＲＪ−４５などのコネクタからなり、データ通信路Ｌを構成する通信ケーブル（第２の通信ケーブル）ＬＵ２を接続するためのケーブルコネクタである。終端トランスＴ２ｘ，Ｔ２ｙは、当該ノード１０と通信ケーブルＬＵ２のデータ通信路Ｌｘ，Ｌｙの直流電位差をそれぞれ絶縁するとともに、インピーダンスをそれぞれ整合して終端するための終端トランスである。通信線Ｌ９は、終端トランスＴ２ｙを介してコネクタＣＮ２１とケーブルコネクタＣＮ２２とを接続するデータ通信路Ｌｙ用の通信線である。通信線Ｌ１０は、終端トランスＴ２ｘを介してコネクタＣＮ２１とケーブルコネクタＣＮ２２とを接続するデータ通信路Ｌｘ用の通信線である。
【００３３】
図２は、本実施の形態にかかるノードおよびアダプタのコネクタ配置例である。ここでは、各ノード１０の背面部の左右両側端部１０Ｌ，１０Ｒに、接続端子がそれぞれの隣接ノード側を向くように横向きにコネクタＣＮ１，ＣＮ２が配置されている。これにより、図１に示したように、ノード１０Ａ，１０Ｂ，１０Ｃを隣接配置した場合、ノード１０ＢのコネクタＣＮ１がノード１０ＡのコネクタＣＮ２と勘合するとともに、ノード１０ＢのコネクタＣＮ２がノード１０ＣのコネクタＣＮ１と勘合する。これにより、通信ケーブルを用いることなく隣接ノード１０間が接続される。
【００３４】
また、アダプタ３１の背面部の右側端部３１Ｒに、接続端子が隣接ノード側を向くように横向きにコネクタＣＮ１１が配置されており、アダプタ３２の背面部の左側端部３２Ｌに、接続端子が隣接ノード側を向くように横向きにコネクタＣＮ２１が配置されている。これにより、図１に示したように、隣接配置されたノード１０Ａ，１０Ｂ，１０Ｃの一端に位置するノード１０Ａにアダプタ３１を隣接配置するとともに、他端に位置するノード１０Ｃにアダプタ３２を隣接配置した場合、アダプタ３１のコネクタＣＮ１１がノード１０ＡのコネクタＣＮ１と勘合し、アダプタ３２のコネクタＣＮ２１がノード１０ＣのコネクタＣＮ２と勘合する。これにより、ノード１０Ａが通信ケーブルＬＵ１と接続され、ノード１０Ｃが通信ケーブルＬＵ２と接続されて、隣接配置されたノード１０Ａ，１０Ｂ，１０Ｃのデータ通信路Ｌが、離れた場所に配置されている他のノードと通信ケーブルＬＵ１，ＬＵ２を介して接続される。
【００３５】
図３は、本実施の形態にかかるネットワークシステムにおけるノード間の接続形態を示す説明図であり、図１のノード１０Ａ，１０Ｂ間の接続形態が例として示されている。
図３に示すように、ノード１０Ａ，１０Ｂが隣接配置された場合、ノード１０ＡのコネクタＣＮ２とノード１０ＢのコネクタＣＮ１とが接続されて、ノード１０Ａの通信線Ｌ４とノード１０Ｂの通信線Ｌ１が接続されるとともに、ノード１０Ａの通信線Ｌ３とノード１０Ｂの通信線Ｌ２が接続される。
【００３６】
これにより、ノード１０Ａの物理レイヤ部１２に設けられた送信回路ＴＲの送信ポートＰ２ｔは、通信線Ｌ６の絶縁用コンデンサＣ２を介して、ノード１０Ｂの物理レイヤ部１１に設けられた受信回路ＲＶの受信ポートＰ１ｒと接続され、データ通信路Ｌｘ用の１対の通信路が形成される。
また、ノード１０Ｂの物理レイヤ部１１に設けられた送信回路ＴＲの送信ポートＰ１ｔは、通信線Ｌ３の絶縁用コンデンサＣ１を介して、ノード１０Ａの物理レイヤ部１２に設けられた受信回路ＲＶの受信ポートＰ２ｒと接続され、データ通信路Ｌｙ用の１対の通信路が形成される。
【００３７】
このようにして、隣接するノード１０間が、それぞれコネクタ部２１，２２により接続されて、２つの独立したデータ通信路Ｌｘ，Ｌｙが形成される。これにより、通信ケーブルを用いることなく、隣接配置された各ノード１０をデイジーチェーン状に結ぶ全二重イーサネットシステムが構築される。
【００３８】
図４は、本実施の形態にかかるネットワークシステムにおけるノードとアダプタとの接続形態を示す説明図であり、図１のノード１０Ａとアダプタ３１との間の接続形態が例として示されている。
図４に示すように、ノード１０Ａとアダプタ３１とが隣接配置された場合、ノード１０ＡのコネクタＣＮ１とアダプタ３１のコネクタＣＮ１１とが接続されて、ノード１０Ａの通信線Ｌ１とアダプタ３１の通信線Ｌ７が接続されるとともに、ノード１０Ａの通信線Ｌ５とアダプタ３１の通信線Ｌ８が接続される。
【００３９】
これにより、ノード１０Ａの物理レイヤ部１１に設けられた受信回路ＲＶの受信ポートＰ１ｒは、通信線Ｌ１から通信線Ｌ７の終端トランスＴ１ｘを介して、アダプタ３１のケーブルコネクタＣＮ１２と接続され、データ通信路Ｌｘ用の通信路が形成される。また、ノード１０Ａの物理レイヤ部１１に設けられた送信回路ＴＲの送信ポートＰ１ｔは、通信線Ｌ２から通信線Ｌ８の終端トランスＴ１ｙを介して、アダプタ３１のケーブルコネクタＣＮ１２と接続され、データ通信路Ｌｙ用の通信路が形成される。
【００４０】
図５は、本実施の形態にかかるネットワークシステムにおけるノードとアダプタとの他の接続形態を示す説明図であり、図１のノード１０Ｃとアダプタ３２との間の接続形態が例として示されている。
図５に示すように、ノード１０Ｃとアダプタ３２とが隣接配置された場合、ノード１０ＣのコネクタＣＮ２とアダプタ３２のコネクタＣＮ２１とが接続されて、ノード１０Ｃの通信線Ｌ３とアダプタ３２の通信線Ｌ９が接続されるとともに、ノード１０Ｃの通信線Ｌ６とアダプタ３２の通信線Ｌ１０が接続される。
【００４１】
これにより、ノード１０Ｃの物理レイヤ部１２に設けられた送信回路ＴＲの送信ポートＰ２ｔは、通信線Ｌ６から通信線Ｌ１０の終端トランスＴ２ｘを介して、アダプタ３２のケーブルコネクタＣＮ２２と接続され、データ通信路Ｌｘ用の通信路が形成される。また、ノード１０Ｃの物理レイヤ部１２に設けられた受信回路ＲＶの受信ポートＰ２ｒは、通信線Ｌ３から通信線Ｌ９の終端トランスＴ２ｙを介して、アダプタ３２のケーブルコネクタＣＮ２２と接続され、データ通信路Ｌｙ用の通信路が形成される。
【００４２】
このようにして、隣接するノード１０Ａがコネクタ部２１によりアダプタ３１と接続されて、２つの独立したデータ通信路Ｌｘ，Ｌｙが通信ケーブルＬＵ１と接続される。また、隣接するノード１０Ｃがコネクタ部２２によりアダプタ３２と接続されて、２つの独立したデータ通信路Ｌｘ，Ｌｙが通信ケーブルＬＵ２と接続される。
【００４３】
図６は、通信ケーブルを用いたノード列間の接続例である。図７は、図６の接続例に基づくネットワークシステムの構成例である。ここでは、図１に示したように隣接配置されたノードＮ１，Ｎ２，Ｎ３からなるノード列と、同じく隣接配置されたノードＮ４，Ｎ５，Ｎ６からなるノード列のうち、ノードＮ１に接続されたアダプタＡ１とノードＮ６に接続されたアダプタＡ３とが通信ケーブルＬＵ１を介して接続され、ノードＮ３に接続されたアダプタＡ２とノードＮ４に接続されたアダプタＡ４とが通信ケーブルＬＵ２を介して接続されている。
これにより、図７に示すように、離れた場所に配置された複数のノード列が通信ケーブルＬＵ１，ＬＵ２を介して接続され、これらノードＮ１〜Ｎ６をリング状に結ぶ全二重イーサネットシステムが構築される。
【００４４】
図８は、コネクタと通信線との接続形態を示す説明図である。本実施の形態では、図８に示すように、ノード１０のコネクタＣＮ１，ＣＮ２とアダプタ３１のコネクタＣＮ１１では、データ通信路Ｌｘ，Ｌｙの通信線数より多い接続端子を用いている。図３〜図５で示したように、データ通信路Ｌｘ，Ｌｙはそれぞれ１対の通信線から構成されているため、２組の通信線、すなわち合計４本の通信線が必要となる。これに対して本実施の形態では、コネクタＣＮ１，ＣＮ２，ＣＮ１１では、４組の通信線、すなわち合計８本の通信線を接続する４つの接続端子組Ｊ１〜Ｊ４が設けられている。なお、図８では、１対の通信線を１本の線で省略して表示している。
【００４５】
具体的には、コネクタＣＮ１には、いずれの通信線も接続されておらず電気的に開放状態の接続端子組Ｊ１、通信線Ｌ１が接続された接続端子組Ｊ２、コンデンサＣ１を含む通信線Ｌ３が接続され接続端子組Ｊ３、および通信線Ｌ５が接続された接続端子組Ｊ４が設けられている。
また、コネクタＣＮ２には、通信線Ｌ６が接続された接続端子組Ｊ１、コンデンサＣ２を含む通信線Ｌ４が接続され接続端子組Ｊ２、通信線Ｌ３が接続された接続端子組Ｊ３、および開放状態の接続端子組Ｊ４が設けられている。
また、コネクタＣＮ１１には、開放状態の接続端子組Ｊ１，Ｊ３、終端トランスＴ１ｘを含む通信線Ｌ７が接続された接続端子組Ｊ２、終端トランスＴ１ｙを含む通信線Ｌ８が接続された接続端子組Ｊ４が設けられている。
【００４６】
これにより、一方のノード１０のコネクタＣＮ１に対して他方のノード１０のコネクタＣＮ２が接続された場合、コネクタＣＮ１の接続端子組Ｊ１とコネクタＣＮ２の接続端子組Ｊ４とが開放状態であることから、コネクタＣＮ１の接続端子組Ｊ２，Ｊ３がコネクタＣＮ２の接続端子組Ｊ２，Ｊ３と接続される。したがって、一方のノード１０の通信線Ｌ１，Ｌ３が他方のノード１０の通信線Ｌ４，Ｌ３とそれぞれ接続されるため、図３に示したように、コンデンサＣ１，Ｃ２により直流電位差が絶縁された状態でノード１０間が接続される。
【００４７】
一方、ノード１０のコネクタＣＮ１に対してアダプタ３１のコネクタＣＮ１１が接続された場合、コネクタＣＮ１１の接続端子組Ｊ１，Ｊ３が開放状態であることから、コネクタＣＮ１の接続端子組Ｊ２，Ｊ４がコネクタＣＮ１１の接続端子組Ｊ２，Ｊ４と接続される。したがって、ノード１０の通信線Ｌ１，Ｌ５がアダプタ３１の通信線Ｌ７，Ｌ８とそれぞれ接続されるため、図４に示したように、終端トランスＴ１ｘ，Ｔ１ｙにより直流電位差が絶縁された状態でノード１０とアダプタ３１とが接続される。
【００４８】
これにより、ノード１０に対して他のノード１０を接続した場合にのみ、両者間を結ぶデータ通信路Ｌｘ，ＬｙのそれぞれにコンデンサＣ１，Ｃ２が挿入される。また、ノード１０に対してアダプタ３１を接続した場合には、両者間を結ぶデータ通信路Ｌｘ，Ｌｙから、通信ケーブルとの接続に不要なコンデンサＣ１，Ｃ２が排除され、通信ケーブルとの接続に必要となる終端トランスＴ１ｘ，Ｔ１ｙのみがデータ通信路Ｌｘ，Ｌｙのそれぞれに挿入される。
したがって、回路切替用のスイッチを必要とすることなく、ノード１０のコネクタＣＮ１に対して、他のノード１０のコネクタＣＮ２とアダプタ３１のコネクタＣＮ１１とを共通に接続することができる。
【００４９】
図９は、コネクタと通信線との他の接続形態を示す説明図である。本実施の形態では、図９に示すように、アダプタ３１と同様にアダプタ３２のコネクタＣＮ１１でも、データ通信路Ｌｘ，Ｌｙの通信線数より多い接続端子を用いている。これにより、コネクタＣＮ２１においても、４組の通信線、すなわち合計８本の通信線を接続する４つの接続端子組Ｊ１〜Ｊ４が設けられている。なお、図９では、１対の通信線を１本の線で省略して表示している。
【００５０】
具体的には、コネクタＣＮ２１には、終端トランスＴ２ｘを含む通信線Ｌ１０が接続された接続端子組Ｊ１、終端トランスＴ２ｙを含む通信線Ｌ９が接続された接続端子組Ｊ３、開放状態の接続端子組Ｊ２，Ｊ４が設けられている。なお、コネクタＣＮ１，ＣＮ２の接続端子組Ｊ１〜Ｊ４については、図８と同様である。
【００５１】
これにより、一方のノード１０のコネクタＣＮ２に対して他方のノード１０のコネクタＣＮ１が接続された場合、コネクタＣＮ１の接続端子組Ｊ１とコネクタＣＮ２の接続端子組Ｊ４とが開放状態であることから、コネクタＣＮ１の接続端子組Ｊ２，Ｊ３がコネクタＣＮ２の接続端子組Ｊ２，Ｊ３と接続される。したがって、一方のノード１０の通信線Ｌ４，Ｌ３が他方のノード１０の通信線Ｌ１，Ｌ２とそれぞれ接続されるため、図３に示したように、コンデンサＣ１，Ｃ２により直流電位差が絶縁された状態でノード１０間が接続される。
【００５２】
一方、ノード１０のコネクタＣＮ２に対してアダプタ３２のコネクタＣＮ２１が接続された場合、コネクタＣＮ２１の接続端子組Ｊ２，Ｊ４が開放状態であることから、コネクタＣＮ２の接続端子組Ｊ１，Ｊ３がコネクタＣＮ２１の接続端子組Ｊ１，Ｊ３と接続される。したがって、ノード１０の通信線Ｌ６，Ｌ３がアダプタ３２の通信線Ｌ１０，Ｌ９とそれぞれ接続されるため、図５に示したように、終端トランスＴ２ｘ，Ｔ２ｙにより直流電位差が絶縁された状態でノード１０とアダプタ３２とが接続される。
【００５３】
これにより、ノード１０に対して他のノード１０を接続した場合にのみ、両者間を結ぶデータ通信路Ｌｘ，ＬｙのそれぞれにコンデンサＣ１，Ｃ２が挿入される。また、ノード１０に対してアダプタ３２を接続した場合には、両者間を結ぶデータ通信路Ｌｘ，Ｌｙから、通信ケーブルとの接続に不要なコンデンサＣ１，Ｃ２が排除され、通信ケーブルとの接続に必要となる終端トランスＴ２ｘ，Ｔ２ｙのみがデータ通信路Ｌｘ，Ｌｙのそれぞれに挿入される。
したがって、回路切替用のスイッチを必要とすることなく、ノード１０のコネクタＣＮ２に対して、他のノード１０のコネクタＣＮ１とアダプタ３２のコネクタＣＮ２１とを共通に接続することができる。
【００５４】
［第１の実施の形態の効果］
このように、本実施の形態は、コネクタ部２１に、当該ノード１０の物理レイヤ部１１の受信ポートＰ１ｒを一方の隣接ノード１０と接続する通信線Ｌ１と、コンデンサＣ１を介して物理レイヤ部１１の送信ポートＰ１ｔを一方の隣接ノードと接続する通信線Ｌ２とを含み、コネクタ部２２に、当該ノードの物理レイヤ部１２の受信ポートＰ２ｒを他方の隣接ノードと接続する通信線Ｌ３と、コンデンサＣ２を介して物理レイヤ部１２の送信ポートＰ２ｔを他方の隣接ノードと接続する通信線Ｌ４とを含み、コネクタ部２１で、一方の隣接ノードのコネクタ部２２と接続することにより、当該ノードの通信線Ｌ１を一方の隣接ノードの通信線Ｌ４と接続するとともに、当該ノードの通信線Ｌ２を一方の隣接ノードの通信線Ｌ３と接続するようにしたものである。
【００５５】
したがって、隣接するノード１０間が、それぞれコネクタ部２１，２２により接続されて、２つの独立したデータ通信路Ｌｘ，Ｌｙが形成される。これにより、通信ケーブルを用いることなく、隣接配置された各ノード１０をデイジーチェーン状に結ぶ全二重イーサネットシステムが構築される。このため、ノード１０ごとに個別の通信ケーブルを必要とすることなく、さらにはハブやスイッチを必要とすることなく、極めて簡素なハードウェアで、各ノード１０のデータ通信路Ｌを接続することが可能となる。
【００５６】
また、本実施の形態では、コネクタ部２１に、物理レイヤ部１１の送信ポートＰ１ｔを一方の隣接ノードと接続する通信線をＬ５さらに含み、コネクタ部２２に、物理レイヤ部１２の送信ポートＰ２ｔを他方の隣接ノードと接続する通信線Ｌ６をさらに含み、アダプタ３１で、ノード１０のコネクタ部２１と接続することにより、当該ノード１０の通信路Ｌ１，Ｌ５とを、それぞれ別個の終端トランスＴ１ｘ，Ｔ１ｙを介した通信線Ｌ７，Ｌ８でケーブルコネクタＣＮ１２と接続し、ノード１０のコネクタ部２２と接続することにより、当該ノード１０の通信線Ｌ３，Ｌ６とを、それぞれ別個の終端トランスＴ２ｘ，Ｔ２ｙを介した通信線Ｌ９，Ｌ１０でケーブルコネクタＣＮ２２と接続するようにしている。
【００５７】
これにより、ノード１０がコネクタ部２１によりアダプタ３１と接続されて、２つの独立したデータ通信路Ｌｘ，ＬｙがケーブルコネクタＣＮ１２を介して通信ケーブルＬＵ１と接続される。また、ノード１０Ｃがコネクタ部２２によりアダプタ３２と接続されて、２つの独立したデータ通信路Ｌｘ，ＬｙがケーブルコネクタＣＮ２２を介して通信ケーブルＬＵ２と接続される。したがって、複数のノード列が離れた場所に設置されている場合でも、これらノード１０間をリング状に結ぶ全二重イーサネットシステムを構築することが可能となる。
【００５８】
特に、隣接ノード間は、データ通信路の線路長が極めて短く、ノイズの影響をほとんど受けないため、コンデンサを介して直接接続することが可能となる。一方、通信ケーブルの場合には、データ通信路の線路長もある程度長く、ノイズの影響も考慮する必要があるため、終端トランスを設けてある。この際、終端トランスにノイズフィルタ等の回路部を追加してもよい。
【００５９】
［第２の実施の形態］
次に、図１０を参照して、本発明の第２の実施の形態にかかるネットワークシステムについて説明する。図１０は、本発明の第２の実施の形態にかかるネットワークシステムおよびノードの構成を示すブロック図である。
【００６０】
第１の実施の形態では、ノード１０にコネクタ部２１，２２を設けて、通信ケーブルを用いることなく隣接ノード１０間のデータ通信路Ｌを直接接続する場合を例として説明した。
本実施の形態では、図１０に示すように、各ノード１０に、当該ノード１０を通過してコネクタ部２１とコネクタ部２２とを直接接続する２本のノードバイパス用の通信線Ｌ１１，Ｌ１２が設けられている。この通信線Ｌ１１，Ｌ１２は、それぞれ１対の通信線から構成されており、ノード１０の物理レイヤ部１１，１２などの回路部とは接続されていない。なお、図１０において、本実施の形態にかかる１対の通信線Ｌ１〜Ｌ１６は、１本の線で省略して表示されている。なお、その他の構成については、第１の実施の形態と同様であり、ここでの説明は省略する。
【００６１】
これにより、例えばノード１０Ｂのコネクタ部２１に設けられたコネクタＣＮ１とノード１０Ａのコネクタ部２２に設けられたコネクタＣＮ２とを接続した場合、ノード１０Ｂの通信線Ｌ１１，Ｌ１２が、ノード１０Ａの通信線Ｌ１１，Ｌ１２のそれぞれと接続される。したがって、これら通信線Ｌ１１，Ｌ１２を、データ通信路Ｌｘ，Ｌｙの冗長経路として利用できる。
【００６２】
また、アダプタ３１には、コネクタＣＮ１１とケーブルコネクタＣＮ１２を直接接続する通信線Ｌ１３，Ｌ１４が設けられているとともに、アダプタ３２には、コネクタＣＮ２１とケーブルコネクタＣＮ２２を直接接続する通信線Ｌ１５，Ｌ１６が設けられている。
これにより、例えばノード１０Ａにアダプタ３１が接続された場合、通信線Ｌ１３，Ｌ１４を介してノード１０Ａの通信線Ｌ１１，Ｌ１２が、アダプタ３１のケーブルコネクタＣＮ１２と接続される。また、ノード１０Ｃにアダプタ３２が接続された場合、通信線Ｌ１５，Ｌ１６を介してノード１０Ａの通信線Ｌ１１，Ｌ１２が、アダプタ３２のケーブルコネクタＣＮ１２と接続される。
【００６３】
図１１は、折り返しプラグの構成例である。折り返しプラグ４０は、それぞれ１対の通信線からなる２本の折り返し通信路ＬＢを有し、アダプタ３１のケーブルコネクタＣＮ１２に接続された場合、当該ケーブルコネクタＣＮ１２のデータ通信路Ｌｘ，Ｌｙ用の通信線Ｌ７，Ｌ８とノードバイパス用の通信線Ｌ１３，Ｌ１４とを折り返し接続する。また、アダプタ３１のケーブルコネクタＣＮ１２に接続された場合、当該ケーブルコネクタＣＮ２２のデータ通信路Ｌｘ，Ｌｙ用の通信線Ｌ９，Ｌ１０とノードバイパス用の通信線Ｌ１５，Ｌ１６とを折り返し接続する。
【００６４】
図１２は、折り返しプラグと通信ケーブルを用いたノード列間の接続例である。図１３は、図１２の接続例に基づくネットワークシステムの構成例である。ここでは、図１０に示したように隣接配置されたノードＮ１，Ｎ２，Ｎ３からなるノード列と、同じく隣接配置されたノードＮ４，Ｎ５，Ｎ６からなるノード列のうち、ノードＮ３に接続されたアダプタＡ２とノードＮ４に接続されたアダプタＡ４とが通信ケーブルＬＵ３を介して接続されている。また、ノードＮ１に接続されたアダプタＡ１のケーブルコネクタＣＮ１２に折り返しプラグ４０からなる折り返し通信路ＬＢ１が接続されており、ノードＮ６に接続されたアダプタＡ２のケーブルコネクタＣＮ１２に折り返しプラグ４０からなる折り返し通信路ＬＢ２が接続されている。
【００６５】
これにより、図１３に示すように、離れた場所に配置された複数のノード列が通信ケーブルＬＵ３、折り返し通信路ＬＢ１，ＬＢ２、および各ノードＮ１〜Ｎ６内のノードバイパス用の通信路ＬＢＰを介して接続され、これらノードＮ１〜Ｎ６をリング状に結ぶ全二重イーサネットシステムが構築される。
【００６６】
［第２の実施の形態の効果］
このように、本実施の形態では、各ノード１０に、当該ノード１０を通過してコネクタ部２１とコネクタ部２２とを直接接続する２本のノードバイパス用の通信線Ｌ１１，Ｌ１２を設けたので、これら通信線Ｌ１１，Ｌ１２を、データ通信路Ｌｘ，Ｌｙの冗長経路として利用できる。
【００６７】
また、本実施の形態では、アダプタ３１のケーブルコネクタＣＮ１２、またはアダプタ３２のケーブルコネクタＣＮ２２に接続されて、当該ケーブルコネクタのデータ通信路Ｌｘ，Ｌｙ用の通信線とバイパス用通信線とを折り返し接続する折り返しプラグ４０をさらに備えるようにしたので、折り返しプラグ４０により、データ通信路Ｌｘ，Ｌｙ用の通信線をバイパス用通信線へループバック接続することが可能となる。したがって、２つのノード列が離れた場所に設置されている場合でも、１本の通信ケーブルのみで、これらノード１０間をリング状に結ぶ全二重イーサネットシステムを構築することが可能となる。
【００６８】
［第３の実施の形態］
次に、図１４を参照して、本発明の第３の実施の形態にかかるネットワークシステムについて説明する。図１４は、本発明の第３の実施の形態にかかるネットワークシステムおよびノードの構成を示すブロック図である。
【００６９】
第１および第２の実施の形態では、各ノード１０の内部にコネクタ部２１，２２が回路として一体に実装されている場合を例として説明した。本実施の形態では、コネクタ部２１，２２がノード１０から分離して別個の装置としてノード１０に取り付けられている場合について説明する。
図１４において、ノード１０には、コネクタＣＮ５，ＣＮ６が設けられており、コネクタ部２１のコネクタＣＮ３とコネクタＣＮ５とが接続され、コネクタ部２２のコネクタＣＮ４とコネクタＣＮ６とが接続されている。その他の構成については、第１の実施の形態と同様であり、ここでの説明は省略する。
【００７０】
［第３の実施の形態の効果］
このように、本実施の形態では、ノード１０とは別個の装置でコネクタ部２１，２２を構成するようにしたので、ノード１０に回路構成を追加することなく、第１の実施の形態と同様の作用効果を奏することが可能となる。
また、本実施の形態は、第１の実施の形態に適用した場合を例として説明したが、第２の実施の形態にも同様に適用することができる。
【００７１】
また、本実施の形態では、コネクタ部２１，２２をそれぞれ別個の装置とする場合を例として説明したが、これに限定されるものではなく、１つのノード１０と対応するこれら２つのコネクタ部２１，２２を１つの装置に実装してもよい。これにより、図１４のコネクタＣＮ５，ＣＮ６とコネクタＣＮ３，ＣＮ４を、それぞれ１つのコネクタで実現できる。さらには、複数のノード１０と対応するこれら２つのコネクタ部２１，２２を１つの装置に実装してもよい。これにより、ノード間を接続するためのコネクタＣＮ１，ＣＮ２を省くことができるとともに、ノード間における通信線Ｌ５，Ｌ６や、ノード１０とアダプタ３１との間の通信線Ｌ２およびコンデンサＣ１、さらにはノード１０とアダプタ３２との間の通信線Ｌ４およびコンデンサＣ２を省くことができる。
【００７２】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【００７３】
また、各実施の形態では、コネクタ部２１，２２のうち送信ポート側の通信線Ｌ２，Ｌ４にコンデンサＣ１，Ｃ２を設けた場合を例として説明したが、これに限定されるものではなく、受信ポート側の通信線Ｌ１，Ｌ３にコンデンサＣ１，Ｃ２を設けてもよい。
【符号の説明】
【００７４】
１…ネットワークシステム、１０，１０Ａ，１０Ｂ，１０Ｃ…ノード、１０Ｌ…左側端部、１０Ｒ…右側端部、１１，１２…物理レイヤ部、１３…リング接続制御部、１４…アプリケーション処理部、２１，２２…コネクタ部、３１，３２…アダプタ、３１Ｒ…右側端部、３２Ｌ…左側端部、Ｐ１ｔ，Ｐ２ｔ…送信ポート、Ｐ１ｒ，Ｐ２ｒ…受信ポート、ＣＮ１，ＣＮ２，ＣＮ３，ＣＮ４，ＣＮ５，ＣＮ６，ＣＮ１１，ＣＮ２１…コネクタ、ＣＮ１２，ＣＮ２２…ケーブルコネクタ、Ｌ１，Ｌ２，Ｌ３，Ｌ４，Ｌ５，Ｌ６，Ｌ７，Ｌ８，Ｌ９，Ｌ１０，Ｌ１１，Ｌ１２，Ｌ１３，Ｌ１４…通信線、Ｃ１，Ｃ２…コンデンサ、Ｔ１ｘ，Ｔ１ｙ，Ｔ２ｘ，Ｔ２ｙ…終端トランス、Ｎ１，Ｎ２，Ｎ３，Ｎ４，Ｎ５，Ｎ６…ノード、Ａ１，Ａ２，Ａ３，Ａ４…アダプタ、Ｌ，Ｌｘ，Ｌｙ，ＬＵ１，ＬＵ２，ＬＵ３…データ通信路、ＬＢ１，ＬＢ２…折り返し通信路、ＬＢＰ…通信路（ノードバイパス用）。
【図１】
2010273164.tif 000003
【図２】
2010273164.tif 000004
【図３】
2010273164.tif 000005
【図４】
2010273164.tif 000006
【図５】
2010273164.tif 000007
【図６】
2010273164.tif 000008
【図７】
2010273164.tif 000009
【図８】
2010273164.tif 000010
【図９】
2010273164.tif 000011
【図１０】
2010273164.tif 000012
【図１１】
2010273164.tif 000013
【図１２】
2010273164.tif 000014
【図１３】
2010273164.tif 000015
【図１４】
2010273164.tif 000016
【図１５】
2010273164.tif 000017
【図１６】
2010273164.tif 000018
【図１７】
2010273164.tif 000019